(57)【要約】 【課題】  アクチュエータを使用せずに電子部品をスライドさせ、複数の端子部にプローブを同時に当接させる事を可能とし、前記電子部品の電気的特性検査に時間を要しない、作業性の良い検査用治具を得る。【解決手段】  セットブロック４は引張ばねによってスライドプレート３に固定され、前記スライドプレート３には２つのカムフォロア７が前記セットブロックの左右に取り付けられ、カムフォロア７各々が台座１０に取り付けられたガイドプレート６に対して常時弾性付勢を受けながらガイドの斜面及び円弧形状に沿って従動し、前記カムフォロア７が前記ガイドプレート６の形状に沿って従動し、前記セットブロック４は前記スライドプレート３の外形に沿ってプローブの圧入されたブロック方向に直線スライドし、前記プローブに対して垂直に当接させる機構の検査用治具とする。【選択図】  図３
2006286319.tif 000002
【特許請求の範囲】
【請求項１】
同一側面上に複数の端子を持つ電子部品を外形基準で拘束可能なように溝加工した固定ブロックに装着し、前記電子部品の端子の位置に一致するように予め位置決定され、プローブ取付ブロックに圧入固定された複数のプローブを前記電子部品の複数の端子に対して垂直に当接するように作用する検査用治具において、前記固定ブロックは、スライドプレートに固定され、前記スライドプレートは、一定ストローク範囲内で前後に直線スライドし、且つ、引張ばねによって前記プローブと反対側に常時弾性付勢されており、また、前記スライドプレートの直線運動を保持している板材には、前記スライドプレートのスライド方向に対して直交する方向にシャフトを貫通させ、前記板材は、前記シャフトを支点として揺動運動ができ、前記スライドプレートには、回転ガイドローラーが左右に取り付けられ、前記引張ばねによって前記左右の回転ガイドローラー各々が、台座に固定されたガイドプレートに対して常時弾性付勢を受けながら前記ガイドプレートの斜面及び円弧形状に沿って従動し、前記回転ガイドローラーが取り付けられている前記スライドプレートも、回転ガイドローラーと共に前記ガイドプレートのガイドに習って従動することになり、前記板材を前記シャフトを支点に揺動させると、前記回転ガイドローラーが前記ガイドプレートの前記形状に沿って従動し、且つ前記スライドプレートは前記板材の平面に沿ってスライドし、前記電子部品の複数の端子を前記プローブに対して垂直に当接させる機構を有することを特徴とする検査用治具。
【請求項２】
請求項１に記載の検査用治具において、前記揺動運動を手動にて行うことを特徴とする検査用治具。
【請求項３】
前記電子部品は、電池パックとすることを特徴とする請求項１に記載の検査用治具。
【請求項４】
前記電子部品は、コンデンサーとすることを特徴とする請求項１に記載の検査用治具。
【発明の詳細な説明】
【技術分野】
【０００１】
本発明は、同一側面に複数の端子を持つ電子部品の電気的特性検査用治具に関し、電池パックまたはコンデンサーに適用して有効な検査用治具に関する。
【背景技術】
【０００２】
従来、前記電池パックまたはコンデンサーの電気的特性の検査を行う場合、手動では前記電池パックまたはコンデンサー本体をなんらかの方法で固定したり、左右どちらかの手に持って端子部の位置を固定した上でプローブを手持ちで端子部に当接させ検査を行っていた。
【０００３】
また、複数の端子に一度にプローブを接触させるのに、手動ではなく、エア式や電動式アクチュエータに取り付けて端子に当接させる方法もある。
【０００４】
特許文献１には、複数の電池に対して、両側から、手動にて挟み込む電気特性検査用の検査用治具について記載されている。                                       
【０００５】
【特許文献１】特開２００３−１２３７２９号公報
【発明の開示】
【発明が解決しようとする課題】
【０００６】
前記の方法では、前記電池パックまたはコンデンサーの固定、取り外しに時間を要し、また、複数の端子を持つ前記電池パックまたはコンデンサーに対して、特に手ぶれ等の影響で端子とプローブの当接に不具合を生じる。結果として、前記電池パックまたはコンデンサーの電気的特性検査に時間がかかるという問題があった。  
【０００７】
また、端子にプローブを当接させるだけの単純な電気的な検査用治具に、精密なエア式や電動式アクチュエータを使用すると、コスト高になるという問題を生じていた。
【０００８】
本発明の課題は、単数または複数の端子を持つ前記電池パック、またはコンデンサーの電気的特性検査で電池パックまたはコンデンサーの表面端子にプローブを当接させ通電する際に、精密なアクチュエータを使用しないで、電子部品の複数の端子にプローブを同時に当接し、かつ電気的特性検査に時間を要しない、作業性の良い検査用治具を提供することである。
【課題を解決するための手段】
【０００９】
本発明は、前記の課題を解決するため、載せ換え簡単な前記電池パックまたはコンデンサー本体の外形状に合わせて置くだけで位置決め固定できる固定ブロックを作製する。この固定ブロックは前記電池パックまたはコンデンサーの端子正面にプローブが当接可能なように前記端子正面部分を切削しておく。
【００１０】
板材上にプローブを前記電池パックまたはコンデンサーの端子位置に合わせて配列圧入したプローブ取付ブロックを固定し、前記電池パックまたはコンデンサーがセットされた前記固定ブロックを搭載したスライドプレートが直線スライドする構成とし、スライド移動する直線上で前記プローブが前記電池パックまたはコンデンサー端子正面に垂直に当接する。
【００１１】
前記スライドプレートが直線スライドする構成は、精密なアクチュエータを使用せず、手動の場合は単純な動作による上下の揺動を、回転ガイドローラを用いたカム機構を利用し直線運動に変換する構成とする。  
【００１２】
即ち、本発明は、同一側面上に複数の端子を持つ電子部品を外形基準で拘束可能なように溝加工した固定ブロックに装着し、前記電子部品の端子の位置に一致するように予め位置決定され、プローブ取付ブロックに圧入固定された複数のプローブを前記電子部品の複数の端子に対して垂直に当接するように作用する検査用治具において、前記固定ブロックは、スライドプレートに固定され、前記スライドプレートは、一定ストローク範囲内で前後に直線スライドし、且つ、引張ばねによって前記プローブと反対側に常時弾性付勢されており、また、前記スライドプレートの直線運動を保持している板材には、前記スライドプレートのスライド方向に対して直交する方向にシャフトを貫通させ、前記板材は、前記シャフトを支点として揺動運動ができ、前記スライドプレートには、回転ガイドローラーが左右に取り付けられ、前記引張ばねによって前記左右の回転ガイドローラー各々が、台座に固定されたガイドプレートに対して常時弾性付勢を受けながら前記ガイドプレートの斜面及び円弧形状に沿って従動し、前記回転ガイドローラーが取り付けられている前記スライドプレートも、回転ガイドローラーと共に前記ガイドプレートのガイドに習って従動することになり、前記板材を前記シャフトを支点に揺動させると、前記回転ガイドローラーが前記ガイドプレートの前記形状に沿って従動し、且つ前記スライドプレートは前記板材の外形に沿って、前記電子部品の複数の端子を前記プローブに対して垂直に当接させる機構を有する検査用治具である。
【００１３】
また、本発明は、前記検査用治具において、前記揺動運動を手動にて行う検査用治具である。
【００１４】
また、本発明は、前記電子部品を電池パックとする検査用治具である。
【００１５】
また、本発明は、前記電子部品をコンデンサーとする検査用治具である。
【発明の効果】
【００１６】
従来の技術では、前記電池パックまたはコンデンサーの位置決め固定に時間を要し、且つ複数の端子を持つ前記電池パックまたはコンデンサーではプローブの当接が容易ではなく検査に時間を要したが、本発明により前記電池パックまたはコンデンサーの位置決め固定は簡易な作業となり検査時間を短縮できた。
【００１７】
更に、手動による場合は、単純な動作で、上下運動をカム機構により１枚の板材上での直線変換することで、精密なアクチュエータを使用せずに前記電池パックまたはコンデンサー端子とプローブを当接させることが可能となる。 
【発明を実施するための最良の形態】
【００１８】
本発明の検査用治具は、同一側面上に複数の端子を持つ電子部品を外形基準で拘束可能なように溝加工した固定ブロックに固定し、前記電子部品の端子の位置に一致するように予め位置決定され、且つ、プローブ取り付けブロックに圧入固定された複数のプローブを前記電子部品の複数の端子に対して垂直に当接するように作用する検査用治具である。
【００１９】
ここで、前記固定ブロックは、前記スライドプレートに固定されており、前記固定ブロックと、前記スライドプレートとは、１つの板材の上を移動できるように構成されており、前記スライドプレートは、後述する引張ばねによって、前記プローブと、反対側に常時弾性付勢されている。また、前記引張ばねは、コイル状のばねを用いて、一方のばねポストを前記板材に配置し、もう一方のばねポストを前記スライドプレートに配置すれば良い。
【００２０】
更に、前記板材には、前記スライドプレートのスライド方向に対して直交する方向にシャフトを貫通させ、前記板材は、前記シャフトを支点として上下の揺動運動ができる構成である。ここで、前記スライドプレートには、２つの回転カイドローラが前記スライドプレートの左右に取り付けられ、前記の引張ばねによって前記左右の回転カイドローラ各々が、台座に固定されたガイドプレートに対して、常時弾性付勢を受けながら、前記ガイドプレートに設けられているガイドの斜面及び円弧形状に沿って従動し、回転カイドローラが取り付けられている前記スライドプレートも、回転カイドローラと共に前記ガイドプレートのガイドに習って従動する。
【００２１】
板材を前記シャフトを支点に下方向に揺動させると、前記回転ガイドローラが、前記ガイドプレートの前記ガイドに沿って従動し、且つ前記固定ブロックは、プローブが圧入された前記プローブ取付ブロック方向に直線スライドし、前記プローブに対して垂直に当接させる機構を有する。    
【００２２】
このように、本発明の検査用治具は、手動の単純な動作でも機能させることのできる治具であって、全く電気的エネルギーを用いないで、すべて手動で行うことも可能である。
【００２３】
（実施の形態１）
図１は、本発明の検査用治具の動作原点（上死点）の平面図である。また、図２は、本発明の検査用治具の動作後（下死点）の平面図である。図３は、図１のＡＡ断面図であって、本発明の検査用治具の動作原点（上死点）の説明図である。図４は、図２のＢＢ断面図であって、本発明の検査用治具で動作後（下死点）の説明図である。更に、図５は、図２の本発明の検査用治具の動作後（下死点）での正面図である。
【００２４】
図１に示すように、セットブロック４は先に記載した固定ブロックに対応するものであって、樹脂等の絶縁体で加工性の良い材料に溝加工をして、電池パックＣ（またはコンデンサーでも良い）の外形基準で、電池パックＣの位置を拘束できるようにする。また、セットブロック４は、スライドプレート３に取り付けられている。ここで、スライドプレート３の両側には、ガイドブロック５が取り付けられ、セットブロック４は、ガイドブロック５によってスライドベース１の外形に沿って直線スライドする。
【００２５】
次に、コンタクトプローブを前記電池パックＣの端子の位置に一致するように圧入固定したプローブ取付ブロック２を、スライドプレート１上で直線スライドさせ、図１に示すセットブロック４で位置決めされた前記電池パックの端子部Ｄの位置に一致するように取り付ける。
【００２６】
図３に示すように、スライドベース１（先に記載した板材に対応する）には、ばねポストＡ，Ｂが取り付けられており、図１に示すスライドベース１に取り付けられたばねポストＡ，Ｂとばねによって、図１のセットブロック４は、図１のプレートに対して常時引かれる状態となる。
【００２７】
なお、ここで、ばねポストＡは、スライドベース１に固定されており、また、ばねポストＢは、前記スライドベース１の上を直線に移動するスライドプレート３に固定されている。従って、ばねポストＡは、スライドベース１に対しては、相対位置は変化しない。一方、ばねポストＢは、スライドベース１に対して、相対位置が変化する。
【００２８】
図１に示す取手８を手動で下方向にシャフトＯを中心に揺動すると同時に、スライドプレート３に取り付けられた、先に記載した回転ガイドローラーの機能を持つカムフォロア７が、台座１０に固定されたガイドプレート６の外形曲線に沿って移動する。
【００２９】
図３のスライドプレート３に取り付けられたカムフォロア７が、ガイドプレート６の外形曲線に沿って移動すると共に、スライドプレート３に取り付けられたセットブロック４は、スライドベース１上を直線スライド移動する。
【００３０】
セットブロック４は、スライドベース１に対して、（図１の矢印Ａの方向に）常時引かれる状態であるが、図２のように、スライドベース１が水平状態になる位置で、ガイドプレート６に取り付けられたストッパー９で停止した時、カムフォロア７が、ガイドプレート６から受ける抗力と水平につりあう関係となり、取手を上方向に揺動しないかぎり水平な状態を維持できる（図４参照）。
【００３１】
図３に示すＣは、前記電池であり、セットブロック４にセットされた状態である。図３に示すＤは、前記電池パックまたはコンデンサーの端子部分である。図１の状態で図１のセットブロック４の位置は直線運動開始位置であり、取手８を下方に揺動することにより図１のガイドプレート１上をスライドする。
【００３２】
図１において取手８を下方に揺動し、スライドベース１がストッパー９に突き当たり止った状態が図２であり、この状態を上方からみたのが図４である。図４に示すように、セットブロック４は、図１の状態より、ΔＸスライドしセットブロック４で固定された電池Ｃの端子Ｄに、プローブ取り付けブロック２に圧入されたプローブが当接する形態となっている。
【００３３】
ここで、以上説明した検査用治具の例は、単一の電子部品対応であるが、図１に示す検査用治具を複数個、並列にならべ、かつ取手を共通とすれば、複数の電子部品を一度に、検査できる対応検査用治具を実現できる。
【産業上の利用可能性】
【００３４】
本発明の検査用治具は、端子を有する電子部品、例えば、二次電池、コンデンサー、ハイブリッドＩＣ等の電気特性検査にて使用される。
【図面の簡単な説明】
【００３５】
【図１】本発明の検査用治具での動作原点（上死点）での平面図。
【図２】本発明の検査用治具での動作後（下死点）での平面図。
【図３】図１のＡＡ断面図で本発明の検査用治具の動作原点（上死点）の説明図。
【図４】図２のＢＢ断面図で本発明の検査用治具の動作後（下死点）の説明図。
【図５】図２の本発明の検査用治具の動作後（下死点）の正面図。
【符号の説明】
【００３６】
１    スライドベース
２    プローブ取付ブロック
３    スライドプレート
４    セットブロック
５    ガイドブロック
６    ガイドプレート
７    カムフォロア
８    取手
９  ストッパー
１０    台座
７１    ねじ
Ａ，Ｂ    ばねポスト
Ｃ    電池パック
Ｄ    電池端子部
Ｏ    シャフト
Ｅ    ばね
【図１】
2006286319.tif 000003
【図２】
2006286319.tif 000004
【図３】
2006286319.tif 000005
【図４】
2006286319.tif 000006
【図５】
2006286319.tif 000007